(57)【要約】  ブームの管壁孔にアンテナ素子を貫通させてブームを上下方向に加圧するだけで、ブームに対してアンテナ素子を極めて簡便に固定できる。  ブーム管壁における左右円弧壁の内面には、上下方向の相互間に間隙を形成する状態でブームの軸心方向に長い二条のリブを並設させ、ブームを上下方向から圧縮して天壁と底壁の曲率半径を「仕上り管壁の曲率半径」に近づくように変形させると共に、左右の中間壁を外周に向けて膨出させる状態に湾曲させて、ブーム管壁の断面形状を略真円形状に形成すると共に、８個の尖頭部を上下方向の相互間の間隙が小さくなる方向で、かつ、左の円弧壁内面に配した尖頭部と右の円弧壁内面に配した尖頭部との相互間が遠くなる方向に夫々斜め方向に移動させて、アンテナ素子の周壁に夫々斜め方向から食い込む状態にして、アンテナ素子の回動と軸線方向の移動を阻止するような状態で中空管状のブームにアンテナ素子を固着する。
2013077244.tif 000002
【特許請求の範囲】
【請求項１】
本発明におけるアンテナの製造方法は、中空管状のブームの管壁には、中空管状のアンテナ素子をブームの左右方向に向けて貫通させる為の二個一対の管壁孔を設け、
上記二個一対の管壁孔には中空管状のアンテナ素子を貫通させ、上記ブームの外周に圧力を加えてブームを上下方向に圧縮して変形させることにより、上記ブームに対してアンテナ素子を固着するようにしたアンテナの製造方法において、
上記中空管状のブームの管壁は、
上部に位置させ、かつ、湾曲内面は下向きに形成し、それの曲率半径は左右の上円弧壁の曲率半径よりも小さい曲率半径で、しかも、左右の上円弧壁の壁厚よりも薄肉にしてある天壁と、
下部に位置させ、かつ、湾曲内面は上向きに形成し、それの曲率半径は左右の下円弧壁の曲率半径よりも小さい曲率半径で、しかも、左右の下円弧壁の壁厚よりも薄肉にしてある底壁と、
上記天壁の左端部に上端部を連ねていて、曲率半径は「仕上り管壁の曲率半径」に略揃えてあり、壁厚は、上記天壁及び底壁よりも変形し難いように、上記天壁及び底壁の肉厚よりも厚肉に形成してある左上円弧壁と、
上記天壁の右端部に上端部を連ねていて、曲率半径は「仕上り管壁の曲率半径」に略揃えてあり、壁厚は、上記天壁及び底壁よりも変形し難いように、上記天壁及び底壁の肉厚よりも厚肉に形成してある右上円弧壁と、
上記底壁の左端部に下端部を連ねていて、曲率半径は「仕上り管壁の曲率半径」に略揃えてあり、壁厚は、上記天壁及び底壁よりも変形し難いように、上記天壁及び底壁の肉厚よりも厚肉に形成してある左下円弧壁と、
上記底壁の右端部に下端部を連ねていて、曲率半径は「仕上り管壁の曲率半径」に略揃えてあり、壁厚は、上記天壁及び底壁よりも変形し難いように、上記天壁及び底壁の肉厚よりも厚肉に形成してある右下円弧壁と、
上記左上円弧壁の下端部と左下円弧壁の上端部との間に位置し、両端を夫々左上円弧壁の下端部と左下円弧壁の上端部に連ねていて、壁厚は、上記左上円弧壁及び左下円弧壁の壁厚よりも薄肉にしてある左中間壁と、
上記右上円弧壁の下端部と右下円弧壁の上端部との間に位置し、両端を夫々右上円弧壁の下端部と右下円弧壁の上端部に連ねていて、壁厚は、上記右上円弧壁及び右下円弧壁の壁厚よりも薄肉にしてある右中間壁とを備え、
上記ブームの管壁における左上円弧壁の下端部と、左下円弧壁の上端部と、右上円弧壁の下端部と、右下円弧壁の上端部との夫々の円弧壁の内面には、上下方向の相互間に間隙を形成する状態でブームの軸心方向に長い二条のリブを並設させ、
上記４つの円弧壁の各内面に夫々配した二条のリブの断面形状は、夫々管内部に向けて突出させて膨出状に形成し、
上記の上下方向相互間に間隙を隔てた状態で配設されている二条のリブの間には上記二個一対の管壁孔を備えさせると共に、その管壁孔の直径は、上記左右の各二条のリブの相互間の間隙よりも大きく設定してあって、上記左右の各二条のリブにあっては、上記二個一対の管壁孔が形成された部分おいて部分的に遮断して、その遮断部分の両側には各リブにつき２個の尖頭部を形成し、
上記４つの円弧壁の各内面において夫々上下方向に相対向する各二条のリブの相互間にある間隙の外周側に位置する中間壁の厚みは、上記ブームの天壁及び底壁を上下方向から加圧することにより、左右の中間壁は相互に遠く離れ、かつ、上記上下方向に相対向するリブの間の間隙は小さくなるように外周に向けて湾曲して張り出すように上記円弧壁より薄く形成しておいて、
上記中空管状のブームに対するアンテナ素子の固着は、上記ブームを上下方向から圧縮して、上記天壁の曲率半径と、底壁の曲率半径とを「仕上り管壁の曲率半径」に近づくように変形させると共に、
壁厚が、上記４つの各円弧壁の壁厚よりも薄肉にしてある左右の中間壁を外周に向けて膨出させる状態に湾曲させて、
上記中空管状のブームの管壁の断面形状を略真円形状に形成すると共に、
上記上下方向の各二条のリブに夫々形成してある各２個の尖頭部を、上下方向の相互間の間隙が小さくなる方向で、かつ、上記左の円弧壁内面に配した二条のリブに係わる４個の尖頭部と、上記右の円弧壁内面に配した二条のリブに係わる４個の尖頭部との相互間が遠くなる方向に、夫々上記８個の尖頭部を斜め方向に移動させて、夫々上記尖頭部を夫々対応するアンテナ素子の周壁における両側の壁部に夫々斜め方向から食い込む状態にして、アンテナ素子の回動と軸線方向の移動を阻止するようしたことを特徴とするアンテナの製造方法。
【請求項２】
上記左右の中間壁は、上記ブームの外周に圧力を加えてブームを上下方向に圧縮して変形させる前の状態では、夫々左右の中間壁の外周面を、上下に位置する円弧壁の外周面相互を結ぶ線よりも窪ませておき、
上記ブームの外周に圧力を加えてブームを上下方向に圧縮して変形させるときには、左右の中間壁において膨出させる外周円弧面の頂部が、外見的には、ほぼ仕上り管壁の外周円弧面上に位置するように、外周に向けて膨出させることを特徴とする請求項１記載のアンテナの製造方法。
【請求項３】
上記左右の中間壁は、上記ブームの外周に圧力を加えてブームを上下方向に圧縮して変形させる前の状態では、夫々左右の中間壁の外周面を、上下に位置する円弧壁の外周面相互を結ぶ線よりも窪ませておき、
上記ブームの外周に圧力を加えてブームを上下方向に圧縮して変形させるときには、左右の中間壁において膨出させる外周円弧面の頂部が、外見的には、ほぼ仕上り管壁の外周円弧面上に位置するように、外周に向けて膨出させ、
さらに、上記の中空管状のブームの管壁の外周面の内、上記左右の中間壁の外周面を除く他の外周面には、ブームの軸心方向に長い筋状を多数並設させた
ことを特徴とする請求項１記載のアンテナの製造方法。
【請求項４】
請求項１で記載したアンテナの製造方法で得られるアンテナ。
【発明の詳細な説明】
【技術分野】
【０００１】
本発明は、例えばＵＨＦ、その他の通信信号の送受をする場合に用いられるアンテナに関し、中空管状のブームに二個一対の貫通孔を備えさせ、その貫通孔に対して、パイプ状のアンテナ素子を貫通させた状態で固定させたアンテナに関するもので、そのアンテナの製造方法及びアンテナに関するものである。
【背景技術】
【０００２】
従来より中空管状のブームに二個一対の貫通孔を備えさせ、その貫通孔に対して、パイプ状のアンテナ素子を貫通させた状態で固定させるアンテナの製造方法は広く知られている。例えば特許文献１に示されるアンテナ等を含めて広く知られている。
【先行技術文献】
【特許文献】
【０００３】
【特許文献１】特開２０１１−６１７６９号公報
【発明の概要】
【発明が解決しようとする課題】
【０００４】
この従来のアンテナの製造方法では、ブームの外周に上下から圧力を加えて、ブームを上下方向に圧縮して変形させるという極めて簡単な工程でもって、アンテナ素子の管壁に対して、上記ブームの内部に形成されている計８個の尖頭部を喰い付かせて、アンテナ素子の回動と、軸線方向の移動を堅固に阻止することを可能にする利点がある。【０００５】
しかし、ブームの上下から圧力を加え、その圧力を等分に左右に振り分けて上記ブームの内部に形成されている計８個の尖頭部を、均等にアンテナ素子の管壁に対して強く喰い付かせる為には、左右の側壁の形状に多彩な工夫を加える必要がある。
上記従来のアンテナの製造方法にあっては、圧力の左右等分配にのみ配慮したため、上記ブームの断面形状はほぼ六角形状になっていた。
斯かる断面形状がほぼ六角形状になるブームを好む需用者もいるが、昔からあるような断面形状がほぼ真円形状（図３（B）に表れているように、鋼板を逆Ｕ字状に折り曲げて形成されたバンド部６を軽く締め付けた状態で、バンド部６の内面がブームの外周面に馴染む程度の円弧面になっている形状）になっているブームを好む需用者もいる。【０００６】
そこで出願人会社においては、左右の側壁の形状に工夫を加え、断面形状がほぼ真円形状になるアンテナの製造方法を種々試みてみたが、上記ブームの内部に形成されている計８個の尖頭部を、均等にアンテナ素子の管壁に対して強く喰い付かせる点の成功の確率が低く、さらには、天壁、底壁（上下の壁部）の変形率が大きくなって、そこにひび割れが入る等、試行錯誤をしてみたが、歩留まりが悪く、商品化し難い問題点があった。【０００７】
本件出願の目的は、上記課題を解決するもので、ブームの外周に上下から圧力を加えて、ブームを上下方向に圧縮して変形させるという極めて簡単な工程でもって、アンテナ素子の管壁に対して、上記ブームの内部に形成されている計８個の尖頭部を喰い付かせて、アンテナ素子の回動と、軸線方向の移動を堅固に阻止することを可能にするアンテナの製造方法及びアンテナを提供しようとするものである。
他の目的は、ブームの外周に上下から圧力を加えて、ブームを上下方向に圧縮変形することにより、アンテナ素子の管壁に対して、ブームに備えさせた計８個の尖頭部を食い付かせると共に、ブームの仕上がり外形を「略真円形状」に仕上げることのできるアンテナの製造方法及びアンテナを提供しようとするものである。
他の目的は、ブームの外周に上下から圧力を加えて、ブームを上下方向に圧縮変形する場合に、上記ブームの天壁及び底壁の変形率があまり大きくならないように構成して、天壁及び底壁に対するひび割れが発生しないようにしたアンテナの製造方法及びアンテナを提供しようとするものである。  
他の課題、目的及び利点、効果等は図面及びそれに関連した以下の説明により容易に明らかになるであろう。
【課題を解決するための手段】
【０００８】
本発明におけるアンテナの製造方法は、 中空管状のブーム２０の管壁２１には、中空管状のアンテナ素子１９をブーム２０の左右方向に向けて貫通させる為の二個一対の管壁孔５５を設け、 上記二個一対の管壁孔５５には中空管状のアンテナ素子１９を貫通させ、上記ブーム２０の外周に圧力を加えてブーム２０を上下方向に圧縮して変形させることにより、上記ブーム２０に対してアンテナ素子１９を固着するようにしたアンテナの製造方法において、 上記中空管状のブーム２０の管壁２１は、 上部に位置させ、かつ、湾曲内面は下向きに形成し、それの曲率半径R1は左右の上円弧壁２４、２４の曲率半径R２よりも小さい曲率半径で、しかも、左右の上円弧壁２４、２４の壁厚Ｔ２よりも薄肉にしてある天壁２３と、下部に位置させ、かつ、湾曲内面は上向きに形成し、それの曲率半径R５は左右の下円弧壁２８，２８の曲率半径R４よりも小さい曲率半径で、しかも、左右の下円弧壁２８，２８の壁厚Ｔ４よりも薄肉にしてある底壁２９と、上記天壁２３の左端部23aに上端部24aを連ねていて、曲率半径R2は「仕上り管壁の曲率半径R6」に略揃えてあり、壁厚T2は、上記天壁２３及び底壁２９よりも変形し難いように、上記天壁２３及び底壁２９の肉厚T1,T5よりも厚肉に形成してある左上円弧壁２４と、上記天壁２３の右端部23bに上端部24aを連ねていて、曲率半径R2は「仕上り管壁の曲率半径R6」に略揃えてあり、壁厚T2は、上記天壁２３及び底壁２９よりも変形し難いように、上記天壁２３及び底壁２９の肉厚T1,T5よりも厚肉に形成してある右上円弧壁２４と、上記底壁２９の左端部29aに下端部28bを連ねていて、曲率半径R4は「仕上り管壁の曲率半径R6」に略揃えてあり、壁厚T4は、上記天壁２３及び底壁２９よりも変形し難いように、上記天壁２３及び底壁２９の肉厚T1,T5よりも厚肉に形成してある左下円弧壁28と、上記底壁２９の右端部29bに下端部28bを連ねていて、曲率半径R4は「仕上り管壁の曲率半径R6」に略揃えてあり、壁厚T4は、上記天壁２３及び底壁２９よりも変形し難いように、上記天壁２３及び底壁２９の肉厚T1,T5よりも厚肉に形成してある右下円弧壁28と、上記左上円弧壁２４の下端部24bと左下円弧壁28の上端部28aとの間に位置し、両端26a,26bを夫々左上円弧壁２４の下端部24bと左下円弧壁28の上端部28aに連ねていて、壁厚T3は、上記左上円弧壁２４及び左下円弧壁28の壁厚T2,T4よりも薄肉にしてある左中間壁２６と、上記右上円弧壁２４の下端部24bと右下円弧壁28の上端部28aとの間に位置し、両端26a,26bを夫々右上円弧壁２４の下端部24bと右下円弧壁28の上端部28aに連ねていて、壁厚T3は、上記右上円弧壁２４及び右下円弧壁28の壁厚T2,T4よりも薄肉にしてある右中間壁２６とを備え、 上記ブーム２０の管壁２１における左上円弧壁２４の下端部24bと、左下円弧壁28の上端部28aと、右上円弧壁２４の下端部24bと、右下円弧壁28の上端部28aとの夫々の円弧壁の内面24ｃ、28ｃには、上下方向の相互間に間隙５２を形成する状態でブーム２０の軸心方向に長い二条のリブ３６、３７を並設させ、上記４つの円弧壁の各内面24ｃ、28ｃに夫々配した二条のリブ３６、３７の断面形状は、夫々管内部21ｂに向けて突出させて膨出状に形成し、上記の上下方向相互間に間隙５２を隔てた状態で配設されている二条のリブ３６、３７の間には上記二��一対の管壁孔５５を備えさせると共に、その管壁孔５５の直径Ｄ１は、上記左右の各二条のリブ３６、３７の相互間の間隙５２よりも大きく設定してあって、上記左右の各二条のリブ３６、３７にあっては、上記二個一対の管壁孔５５が形成された部分おいて部分的に遮断して、その遮断部分５４の両側には各リブにつき２個の尖頭部５８、５８を形成し、上記４つの円弧壁の各内面24ｃ、28ｃにおいて夫々上下方向に相対向する各二条のリブ３６、３７の相互間にある間隙５２の外周側に位置する中間壁２６の厚みT3は、上記ブーム２０の天壁２３及び底壁２９を上下方向から加圧することにより、左右の中間壁２６、２６は相互に遠く離れ、かつ、上記上下方向に相対向するリブ３６、３７の間の間隙５２は小さくなるように外周に向けて湾曲して張り出すように上記円弧壁より薄く形成しておいて、上記中空管状のブーム２０に対するアンテナ素子１９の固着は、上記ブーム２０を上下方向から圧縮して、上記天壁２３の曲率半径R1と、底壁２９の曲率半径R5とを「仕上り管壁の曲率半径R6」に近づくように変形させると共に、壁厚T3が、上記４つの各円弧壁２４，２４，２８，２８の壁厚T2,T4よりも薄肉にしてある左右の中間壁２６，２６を外周に向けて膨出させる状態に湾曲させて、上記中空管状のブーム２０の管壁２１の断面形状を略真円形状に形成すると共に、 上記上下方向の各二条のリブ３６、３７に夫々形成してある各２個の尖頭部５８、５８を、上下方向の相互間の間隙が小さくなる方向で、かつ、上記左の円弧壁内面24ｃ、28ｃに配した二条のリブ３６、３７に係わる４個の尖頭部５８と、上記右の円弧壁内面24ｃ、28ｃに配した二条のリブ３６、３７に係わる４個の尖頭部５８との相互間が遠くなる方向に、夫々上記８個の尖頭部５８を斜め方向に移動させて、夫々上記尖頭部５８を、夫々対応するアンテナ素子１９の周壁における両側の壁部80ａ、80ａに夫々斜め方向から食い込む状態にして、アンテナ素子１９の回動と軸線方向の移動を阻止するようにしたものである。【０００９】
また好ましくは、上記左右の中間壁26、26は、上記ブーム２０の外周に圧力を加えてブーム２０を上下方向に圧縮して変形させる前の状態では、夫々左右の中間壁２６の外周面26ｄを、上下に位置する円弧壁２４、２８の外周面24ｄ、28ｄ相互を結ぶ線26ｅよりも窪ませておき、上記ブーム２０の外周に圧力を加えてブーム２０を上下方向に圧縮して変形させるときには、左右の中間壁26，26において膨出させる外周円弧面２７の頂部27aが、外見的には、ほぼ仕上り管壁の外周円弧面３３上に位置するように、外周に向けて膨出させるものであればよい。【００１０】
また好ましくは、上記左右の中間壁26、26は、上記ブーム２０の外周に圧力を加えてブーム２０を上下方向に圧縮して変形させる前の状態では、夫々左右の中間壁２６の外周面26ｄを、上下に位置する円弧壁２４、２８の外周面24ｄ、28ｄ相互を結ぶ線26ｅよりも窪ませておき、上記ブーム２０の外周に圧力を加えてブーム２０を上下方向に圧縮して変形させるときには、左右の中間壁26，26において膨出させる外周円弧面２７の頂部27aが、外見的には、ほぼ仕上り管壁の外周円弧面３３上に位置するように、外周に向けて膨出させ、さらに、上記の中空管状のブーム２０の管壁２１の外周面には、ブーム２０の軸心方向に長い筋状３１を多数並設させたものであればよい。【００１１】
また好ましくは、請求項１で記載したアンテナの製造方法で得られるアンテナであればよい。
【発明の効果】
【００１２】
以上のように本発明における中空管状のブーム２０の管壁２１は、８つの特徴を有する壁部材（23、29、24、24、28、28、26、26）を備え、
上記中空管状のブーム２０に対するアンテナ素子１９の固着に際しては、上記ブーム２０を上下方向から圧縮して、上記天壁２３の曲率半径R1と、底壁２９の曲率半径R5とを「仕上り管壁の曲率半径R6」に近づくように変形させると共に、
曲率半径が「仕上り管壁の曲率半径R6」に略揃えてある４つの各円弧壁24,24,28,28は夫々実質的に変形させることなく、アンテナ素子１９に近い側24ｂ、28ａが、アンテナ素子１９に近づくと共に、外周方向に向けて移動するように斜めに移動させ、そして、 壁厚が、上記4つの各円弧壁の壁厚よりも薄肉にしてある左右の中間壁26、26を外周に向けて移動させると共に、膨出させる状態に湾曲させて、
上記中空管状のブーム２０の管壁２１の断面形状を略真円形状に形成すると共に、
上記左右における各上下方向二条のリブ３６、３７に夫々形成してある各２個の、計８個の尖頭部（58、58・・・・・58）を、夫々上下方向の相互間の間隙５２が小さくなる方向で、かつ、上記左の壁部内面に配した二条のリブ３６、３７に係わる４個の尖頭部５８と、上記右の壁部内面に配した二条のリブ３６、３７に係わる４個の尖頭部５８との相互間が遠くなる方向に、夫々上記８個の尖頭部５８を斜め方向に移動させて、夫々上記尖頭部５８を、夫々対応するアンテナ素子１９の周壁における両側の壁部80ａ、80ａに夫々斜め方向から食い込む状態にして、アンテナ素子１９の回動と軸線方向の移動を阻止するようしたものであるから、
上記ブーム２０の外周に上下から圧力を加えて、ブーム２０を上下方向に圧縮して変形させるという、極めて簡単な工程でもって、
第１に、アンテナ素子１９の管壁８０に対して、上記ブーム２０の内部に形成されている計８個の尖頭部（58、58・・・・・58）を喰い付かせて、アンテナ素子１９の正確な固定、即ち、ブーム２０に対するアンテナ素子１９の回動と、軸線方向の移動を堅固に阻止することを可能にする効果があると同時に、
第２に、上記したように、アンテナ素子１９の管壁８０に対して、上記ブーム２０に備えさせた計８個の尖頭部（58、58・・・・・58）を喰い付かせるものであっても、ブーム２０の仕上がり外形を「略真円形状」に仕上げ、商品価値を高める得る効果もある。その上、
第３に、上記４つの各円弧壁（24、24、28、28）は、予め曲率半径R2、R4を「仕上り管壁の曲率半径R6」と略同じように湾曲させてあり、しかも、上記天壁２３と底壁２９とを近づけるように加圧した場合に変形し難いように、上記天壁２３と底壁２９及び中間壁26、26の肉厚よりも夫々厚肉に形成してあるので、「ブーム20の外周に圧力を加えて、ブーム20を圧縮して変形させる工程」において、各円弧壁（24、24、28、28）の曲率半径R2,R4は変化することなく、上記ブーム２０の上下に対して加えられる圧力を、上記ブーム２０の内部に備えさせた計８個の尖頭部（58、58・・・・・58）に確実に伝達し、アンテナ素子１９の管壁８０に喰い付かせることのできる特長がある。
このことは、天壁２３の曲率半径R1と、底壁２９の曲率半径R5を共に、予め大きくしておくことができ、上記ブーム２０を上下方向から圧縮して、上記天壁２３の曲率半径R1と、底壁２９の曲率半径R5とを「仕上り管壁の曲率半径R6」に近づくように変形させる場合の変形率を小さくすることができる効果があり、これにより、天壁２３と底壁２９の変形に伴うひび割れを予め防止し、製品の歩留まり向上に効果がある。
【図面の簡単な説明】
【００１３】
【図１】アンテナの斜視図。
【図２】アンテナにおける支持杆を、アンテナ素子と同一平面に折畳んだ状態を説明する為の平面図。
【図３】（A）は図２における符号III Aで示される部分拡大図。（Ｂ）は図１における符号III Bで示される部分の一部破断した拡大斜視図。
【図４】管壁変形前のブームの部分側面図。
【図５】管壁変形前のブームの断面図で、（A）は図４及び図７のＡ−Ａ線位置断面図、（Ｂ）は図４及び図７のＢ−Ｂ線位置断面図、（Ｃ）は図４及び図７のＣ−Ｃ線位置断面。
【図６】ブーム管壁を説明する為の図５（Ｂ）の拡大断面図。
【図７】図５（Ｂ）のVII−VII線断面図。
【図８】管壁変形前のブームの一部を破断して示す斜視図。
【図９】ブームに対するアンテナ素子の固定方法を説明する為の図で、（A）は管壁変形前のブームの管壁孔にアンテナ素子を貫通させ、金型内に位置させた状態を示す一部破断して示す概略断面図。その破断位置は、図４及び図７のＣ−Ｃ線位置である。（Ｂ）は（A）のIX B−IX B線位置の断面図。
【図１０】図９（Ｂ）のX−X線位置の断面図（金型の存在位置を一点鎖線で示す）。
【図１１】ブームに対するアンテナ素子の固定状態を説明する為の一部破断して示す概略断面図（ブームの形状は管壁変形の途中）。その破断位置は、（A）は図４及び図７のＣ−Ｃ線位置である。（Ｂ）は（A）のXI B−XI B線位置の断面図。（Ｃ）は（Ｂ）のXIC−XIC線位置の断面図（金型の存在位置を一点鎖線で示す）
【図１２】ブームに対するアンテナ素子の固定状態を説明する為の一部破断して示す概略断面図（ブームの形状は管壁変形後）。その破断位置は、図４及び図７のＣ−Ｃ線位置であり、（Ｂ）は（A）のXII B−XII B線位置の断面図。（Ｃ）は（Ｂ）のXIIC−XIIC線位置の断面図（金型の存在位置を一点鎖線で示す）
【図１３】（A）（Ｂ）は、ブームに対するアンテナ素子の固定状態を説明する為の図面であって、変形後のブームを一部破断して示す概略断面図（アンテナ素子の表示は省略してある）。それらの図の破断位置は、（A）は図１２（Ｃ）のXIII A−XIII A位置、（Ｂ）は図１２（Ｃ）のXIII B−XIII B位置である。（Ｃ）〜（Ｅ）は、ブームに対するアンテナ素子の固定状態を説明する為の図面であって、アンテナ素子を一部破断して示す概略断面図（ブームの表示は省略してある）。（Ｃ）は変形前のアンテナ素子、（Ｄ）と（Ｅ）は変形後のアンテナ素子を示す。それらの図の破断位置は、（Ｄ）は図１２（Ｃ）のXIII A−XIII A位置、（Ｅ）は図１２（Ｃ）のXIII B−XIII B位置である。
【図１４】（A）は、ブーム壁部と、リブと、尖頭部と、添付面と、角部との相互の動作を説明する為の図で、図１０のブームの一部分と、図１２(C)のブームの一部分の輪郭を重ねて示す模式図。
【図１５】ブームに対して固定された後のアンテナ素子の平面図であって、ブームを除去してアンテナ素子の一部のみを示す図。なお、一点鎖線で示される符号21ａはブームの外周面位置を示す。
【図１６】図４〜図１５のブームとは異なる例を示す断面図。（A）は図6に対応させた図。（Ｂ）は図12（Ｃ）に対応させた図を表す。
【図１７】（A）は変形前のブームの具体例を示す断面図で、図6に対応させた図。（Ｂ）は変形後のブームの具体例を示す断面図で、図12（Ｃ）に対応させた図を表す。
【発明を実施するための形態】
【００１４】
以下本発明の実施の形態を図面を用いて説明する。
図１において、１は、マスト２によって支持されているアンテナ、例えば周知のＵＨＦ波の送受に利用される周知のアンテナを示す。アンテナ１において、２０は中空管状のブーム、１６は放射器、１７は反射器、１８は導波器を示し、これらはブーム２０に対して装着されることにより一体化している。導波器１８において１９は、任意複数の中空管状のアンテナ素子で、ブーム２０の軸心に対して直交する方向に向けて、夫々管壁２１に任意所定の間隔で穿設された二個一対の管壁孔５５を貫通した状態で固定されている。
３は、Ｕ字状の支持杆を示し、金具２ａを介してマスト２に連結されている。支持杆３の両側の自由端３ａ、３ａは、取付金具５、５を介してブーム２０に着脱自在に連結してある。
【００１５】
取付金具５は、図３（Ｂ）に表われているように、鋼板を逆Ｕ字状に折り曲げて形成されたバンド部６と二つの支持杆添付部１０とを一体的に備える。なお、バンド部６において、６ａは膨出状に形成してあるリブを示し、バンド部６の内面における円弧の形状をブーム２０の外周形状に対応させ、回動を自在にする為の曲面を維持する為の補強材である。
バンド部６の内懐部７の形状は、ブーム２０の外径形状である略真円形状に対応させて円弧状にしあり、支持杆添付部１０、１０を締付けることによって内懐部７の内周面はブーム２０の外周面21ａに対して一体化し、支持杆添付部１０、１０を緩めることにより、ブーム２０の円弧状の外周面21ａは内懐部７の内周面からの圧接状態から解放され９０度の範囲内で回動自在になる（図２の折畳状態から、図１の状態にできる）。８は周知の長孔を示し、ブーム２０に螺合させてある（回り止用）螺子に対して９０度の範囲内で回動方向に相対的な移動を可能にしてある。１２は支持杆添付部１０、１０を締緩するためのボルトの頭を示す。
【００１６】
なお、当分野においてアンテナ１は、図１の状態でブーム２０に対してアンテナ素子１９を左右（水平方向）に突出させた状態で使用される場合が多い。しかし、アンテナ素子１９を上下に向けた状態で使用される場合もある。従って、当業者は利用の形態によって上下、左右の呼び名を変更して用いている。このような事情から本件（特許請求の範囲、明細書、図面）においては、上下、左右の用語の用い方においては、説明の都合上、図１の状態で用いられた場合を仮定して、アンテナ素子（エレメント）１９の突出方向を「左右」として説明し、図１の図面上の上下を、そのまま「上下」と称して説明するが、利用の形態によって上下、左右の呼び名は変る。
【００１７】
次に、ブーム２０に対するアンテナ素子１９の固定部の構造に関連する構成について説明する。なお、図４〜１０に示されるブーム２０はブーム管壁２１の変形前の状態を示す。
ブーム２０は、周知のようにアルミニウム合金（例えばアルミＡ６０６３−Ｔ５）或は塑性変形可能な任意の硬質材によって形成されている。ブーム２０の管壁２１の断面形状は、図５、６に示される壁部２３〜２９の８つの壁部材で囲まれた楕円形状（小判形状）にしてある。即ち、上下の壁部２３と２９の外周間の寸法Ｈ１は、左右の壁24、26、28の外周相互間の寸法Ｗ１より大きく（例えば2.0倍位に）して、全体が小判形状に設定してある。
【００１８】
管壁２１において、２３〜２９は、図５〜８に表れている８つの壁部材を示す。これら管壁２１が備える壁部材の夫々について次の通り説明する。
天壁２３は、右の上円弧壁２４、２４の曲率半径R２よりも小さい曲率半径で、しかも、図６に表れているように左右の上円弧壁２４、２４の壁厚Ｔ２よりも薄肉にして、曲がり易いようにある。
底壁２９は、下部に位置させ、かつ、湾曲内面は上向きに形成し、それの曲率半径R５は左右の下円弧壁２８，２８の曲率半径R４よりも小さい曲率半径で、しかも、図６に表れているように左右の下円弧壁２８，２８の壁厚Ｔ４よりも曲がり易いように薄肉にしてある。
左上円弧壁２４は、上記天壁２３の左端部23aに上端部24aを連ねていて（一体に形成）、曲率半径R2は「仕上り管壁の曲率半径R6」に略揃えてあり、壁厚T2は、上記天壁２３及び底壁２９よりも変形し難いように、上記天壁２３及び底壁２９の肉厚T1,T5よりも厚肉に形成してある。
右上円弧壁２４は、上記天壁２３の右端部23bに上端部24aを連ねていて、（一体に形成）、曲率半径R2は「仕上り管壁の曲率半径R6」に略揃えてあり、壁厚T2は、上記天壁２３及び底壁２９よりも変形し難いように、上記天壁２３及び底壁２９の肉厚T1,T5よりも厚肉に形成してある。
左下円弧壁28は、上記底壁２９の左端部29aに下端部28bを連ねていて、（一体に形成）、曲率半径R4は「仕上り管壁の曲率半径R6」に略揃えてあり、壁厚T4は、上記天壁２３及び底壁２９よりも変形し難いように、上記天壁２３及び底壁２９の肉厚T1,T5よりも厚肉に形成してある。
右下円弧壁28は、上記底壁２９の右端部29bに下端部28bを連ねていて、（一体に形成）、曲率半径R4は「仕上り管壁の曲率半径R6」に略揃えてあり、壁厚T4は、上記天壁２３及び底壁２９よりも変形し難いように、上記天壁２３及び底壁２９の肉厚T1,T5よりも厚肉に形成してある。
左中間壁２６は、上記左上円弧壁２４の下端部24bと左下円弧壁28の上端部28aとの間に垂直状態で位置し、両端26a,26bを夫々左上円弧壁２４の下端部24bと左下円弧壁28の上端部28aに一体に連ねていて、壁厚T3は、図６に表れているように上記左上円弧壁２４及び左下円弧壁28の壁厚T2,T4よりも薄肉にしてある。
右中間壁２６は、上記右上円弧壁２４の下端部24bと右下円弧壁28の上端部28aとの間に垂直状態で位置し、両端26a,26bを夫々右上円弧壁２４の下端部24bと右下円弧壁28の上端部28aに一体に連ねていて、壁厚T3は、図６に表れているように上記右上円弧壁２４及び右下円弧壁28の壁厚T2,T4よりも薄肉にしてある。
さらに説明を加えれば、上記４つの円弧壁の各内面24ｃ、28ｃにおいて夫々上下方向に相対向する各二条のリブ３６、３７の相互間にある間隙５２の空間52aの外周側に位置する中間壁２６の厚みT3は、上記ブーム２０の天壁２３及び底壁２９を上下方向から加圧することにより、左右の中間壁２６、２６は相互に遠く離れ、かつ、上記上下方向に相対向するリブ３６、３７の間の間隙５２は小さくなるように、即ち、図１２、図１４に表れているように外周に向けて湾曲して張り出すように上記円弧壁より薄く形成してある。
【００１９】
上記左右の中間壁26、26は、上記ブーム２０の外周に圧力を加えてブーム２０を上下方向に圧縮して変形させる前の状態では、必要に応じて、夫々左右の中間壁２６の外周面26ｄを、上下に位置する円弧壁２４、２８の外周面24ｄ、28ｄ相互を結ぶ線26ｅよりも窪ませておき（必要に応じて任意の深さの凹部２５を形成しておき）、
上記ブーム２０の外周に圧力を加えてブーム２０を上下方向に圧縮して任意の膨出寸法に変形させるときには、左右の中間壁26，26において図１４に表れているように、膨出させる外周円弧面２７の頂部27aが、外見的には、ほぼ仕上り管壁の外周円弧面３３上に位置するように、凹部２５内を外周に向けて膨出させるようにしておいてもよい。
【００２０】
このように左右の中間壁２６の外周面26ｄの位置を窪ませておくと（大きな凹部２５を形成しておくと）、アンテナ素子１９の管壁（周壁）８０に対して、上記ブーム２０の内部に形成されている計８個の尖頭部（58、58・・・・・58）を深く、強く喰い付かせる場合でも、左右の中間壁２６の外周面26ｄを大きく（上記外周円弧面３３を超えて）膨出させてもあまり外観的には目立たなくなり、頂部27aを、外観的には、ブーム２０の外径形状である略真円形状の円弧軌跡３３に対応させることができる。
一方、大きな凹部２５を形成して、頂部27aを大きく膨出できるようになるということは、上円弧壁２４の下端部24bと下円弧壁28の上端部28aとの間が縮まることを意味し、アンテナ素子１９の管壁８０に対して、ブーム２０の内部に形成されている計８個の尖頭部（58、58・・・・・58）を深く、強く喰い付かせることができる効果がある。
【００２１】
さらに、上記の中空管状のブーム２０の管壁２１の外周面に対して、図２〜図５に表れているようにブーム２０の軸心方向に長い筋状３１（かまぼこ状断面の筋状）を多数並設させておくと、上記中間壁２６の外周面に膨出させる外周円弧面２７の筋状が、上記多数並設されている長い筋状３１と一体化融合して、目立つことを防止し、外観的には違和感のない美しい筋状模様を構成する商品を提供できる効果がある。
【００２２】
次に図５〜８に表れるリブについて説明する。
上記ブーム２０の管壁２１における左上円弧壁２４の下端部24bと、左下円弧壁28の上端部28aと、右上円弧壁２４の下端部24bと、右下円弧壁28の上端部28aとの夫々の円弧壁の内面24ｃ、28ｃには、上下方向の相互間に間隙５２を形成する状態でブーム２０の軸心方向に長い二条のリブ３６、３７を並設させてある。
上記左右の円弧壁の内面24ｃ、28ｃに夫々配した二条のリブ３６、３７の断面形状は、図示のように夫々管内部21ｂに向けて突出させて膨出状に形成してある。
【００２３】
この点をさらに詳細に説明すると、図５〜８に表れる上記ブーム２０の管壁２１における左右の壁部（左右の円弧壁24、24、28、28）の内面24cの夫々には、上下方向に相互間に間隙５２を形成する状態でブーム２０の軸心方向に長い二条のリブ３６、３７が並設されている。なお、図６に表れる上記円弧壁の内面24c、28ｃの曲率半径R2aは、上記円弧壁の肉厚が薄くならない範囲で適宜選定すればよい。
第１リブ３６と、第２リブ３７の夫々の元部36ａ、37ａは、管壁２１における左右の円弧壁24、24、28、28と一体材でもって一体的に成形してあり、夫々の対応壁部の肉厚を、図６に表れているように中間壁２６に向けて逐次厚みを増加させ、結果的に円弧壁の肉厚を補強する形態にしてある。
４３は上記第１と第２リブ３６、３７における各第２周面４１と第１周面４０との間に形成される頂部を示す。第１と第２リブ３６、３７の断面形状は、例えば図６のように夫々管内部21ｂに向けて突出させ、全体の断面形状を山形状（膨出状）に形成してある。リブ３６、３７においては、上下方向の相対向する第１と第２リブ３６、３７における対向面の近い位置に頂部（稜線）４３が形成されている。
次に４０，４１は第１リブ３６及び第２リブ３７の各第１周面、第２周面を示す。第１周面４０と第２周面４１は、図１２に表れているような加圧完了状態において、８個の尖頭部５８が、アンテナ素子からの反力に負けることなく、設計上予定された食込み状態を得られるように、第１周面４０は図５に表れているように予め斜面に形成しておき、第２周面４１は、食込み状態で図１２に表れているように斜面になるように形成してある。
このように内面に４条のリブ３６，３７を備えるブーム２０の形成手段は任意あるが、通常知られているように押出成形によっても製作できる。
【００２４】
次に、アンテナ素子１９を固着する手段について説明する。本発明におけるアンテナの製造方法は、中空管状のブーム２０の管壁２１には、中空管状のアンテナ素子１９をブーム２０の左右方向に向けて貫通させる為の二個一対の管壁孔５５を設け、上記二個一対の管壁孔５５には中空管状のアンテナ素子１９を貫通させ、上記ブーム２０の外周に圧力を加えてブーム２０を上下方向に圧縮して変形させることにより、上記ブーム２０に対してアンテナ素子１９を固着するようにする。
【００２５】
即ち、図４〜図８を用いて前述したように構成されているブーム２０の管壁２１における二条のリブ３６、３７の間には上記二個一対の管壁孔５５を備えさせる。その管壁孔５５の直径Ｄ１は、上記左右の各二条のリブ３６、３７の相互間の間隙５２よりも大きく設定してあって、上記左右の各二条のリブ３６、３７にあっては、上記二個一対の管壁孔５５が形成された部分おいて部分的に遮断して、その遮断部分５４の両側には各リブにつき２個の尖頭部５８、５８を形成する。
【００２６】
この点をさらに説明する。まず、図４〜８の中空管状のブーム２０の管壁２１におけるアンテナ素子１９装着予定位置に対し、周知の手段を用いて、複数の中空管状のアンテナ素子１９を左右方向に貫通させる為の二個一対の管壁孔５５を所定間隔を隔てながら複数穿孔形成する。
上記管壁孔５５の直径Ｄ１は、アンテナ素子１９の外径Ｄ２が挿通できるように外径Ｄ２よりも周知のようにやや大きくした対応寸法にしてある。そしてブーム２０内の左右の各二条のリブ３６、３７における二つの頂部４３の相互間の間隙５２よりも大きく形成してある。
【００２７】
従って、管壁孔５５を形成すると、図５（Ｂ）、図７、図８に表れるように、夫々のリブ３６、３７における第２周面４１側も、第１周面４０側の一部も夫々削り取られ、そこには図示のような円弧状の添付面５６が夫々形成される。この添付面５６におけるアンテナ素子軸心方向長さは、夫々上円弧壁２４、下円弧壁２８の壁厚寸法T2,T4に比較して長くなる。
さらに、ブーム２０内の左右の各二条のリブの頂部４３は、夫々管壁孔５５が設けられた位置において、図８に表われているように、そこで連続性が遮断されて遮断部分５４が形成されている。従って、この頂部４３が貫通孔５５によって遮断された位置（遮断部分５４）においては、上下二つのリブ３６、３７の第２周面４１と第１周面４０と、添付面５６とによって、各リブにつき２個（全部のリブでは８個）の鋭い牙のような尖頭部５８が形成される。尖頭部５８、５８のブーム軸心方向の間隔５３は図７に表われているように、管壁孔５５の直径Ｄ１より小さくしてある。
次に、上記二個一対の管壁孔５５に対して、通常行われるように中空管状のアンテナ素子１９を貫通させる。この状態では、アンテナ素子１９は図７、９、１０のように、左右の各二条のリブ３６、３７において上下二つの添付面５６と４個の尖頭部５８によって夫々支持される様子になる。
上記のアンテナ素子１９は、図９のブーム２０を上下方向から任意の手段を用いて加圧することにより、図１１、１２に表れるようにブーム２０の断面を順次変形させ、その変形によって、ブーム内における上下のリブ３６、３７をも上下の頂部４３、４３が相互に近づくように変位させて、添付面５６をアンテナ素子１９の周壁８０に食い込ませる。
【００２８】
次に、ブーム２０の管壁２１、ブーム内の上下のリブ36、37、ブーム２０内に位置するアンテナ素子１９夫々の動作を、図９〜１５を用いて以下詳しく順次説明する。
上記中空管状のブーム２０に対するアンテナ素子１９の固着は、上記ブーム２０を上下方向から圧縮して、上記天壁２３の曲率半径R1と、底壁２９の曲率半径R5とを「仕上り管壁の曲率半径R6」に近づくように変形させると共に、
壁厚T3が、上記４つの各円弧壁２４，２４，２８，２８の壁厚T2,T4よりも薄肉にしてある左右の中間壁２６，２６を外周に向けて膨出させる状態に湾曲させて、
上記中空管状のブーム２０の管壁２１の断面形状を略真円形状に形成する。さらに、
上記上下方向の各二条のリブ３６、３７に夫々形成してある各２個の尖頭部５８、５８を、上下方向の相互間の間隙が小さくなる方向で、かつ、上記左の円弧壁内面24ｃ、28ｃに配した二条のリブ３６、３７に係わる４個の尖頭部５８と、上記右の円弧壁内面24ｃ、28ｃに配した二条のリブ３６、３７に係わる４個の尖頭部５８との相互間が遠くなる方向に、夫々上記８個の尖頭部５８を斜め方向に移動させて、夫々上記尖頭部５８を、夫々対応するアンテナ素子１９の周壁における両側の壁部80ａ、80ａに夫々斜め方向から食い込む状態にして、アンテナ素子１９の回動と軸線方向の移動を阻止するようするものである。
【００２９】
さらにこの点を説明する。
ブーム２０の管壁２１の動作に関連する動作は次の通りである。図９、１０に示されるブーム２０を上下方向（矢印60ａ、60b方向）に加圧することにより、図１１、１２に表れるように順次ブーム２０の管壁２１における上下の壁部２３、２９を相互に近づける方向に変形させると共に、左右の中間壁２６、２６は相互に遠く離れるように変位する。この変形させる手段としては、例えば断面形状が図９（A）に示されている金型７０を用いる。ブーム２０を中間にして、互いに対向する状態で一対のプレス金型７０を配置する。金型７０における７１は凹部で、ブーム２０の仕上がり予定の外周形状（図１１のブームの外周形状）に対応する形状にしてある。（なお、金型７０の長手方向（ブームの軸心方向と同じ）の長さは任意であり、複数のアンテナ素子１９を同時に固着できるように長くしてあってもよい。）    
【００３０】
図９の状態で上下二つのプレス金型７０の対向面70a、70bを夫々矢印60ａ、60bに向けて近付けると、ブームの天壁２３と底壁２９とはプレス金型７０に押されて夫々の曲率半径R1を大きくなるように変形させながら（図１１、１２参照）、相互に近づく方向に移動する（約８０％）。この移動に伴い、図11,12に表れるように上円弧壁２４，２４と下円弧壁２８，２８とは変形することなく、上半部の円弧壁２４はハの字状に変位して広がり、下半部の円弧壁２８は逆ハの字状に変位して広がる。
この変位（移動）と共に、左右の中間壁２６、２６は相互に遠ざかる方向（矢印60c、60d方向）へと変位して広がる。この際、ここは図９のように上下のリブ３６、３７が存在する部分より肉薄で耐曲げ力を弱くしてあったり、又は図５（Ｂ）のように管壁孔５５の存在で耐曲げ力が弱くなっていたりしていて、夫々中間壁２６の上下方向の中間位置を頂点として、図１１、１２のように凹部７１の内壁面に沿う状態に左右に膨出状に変形する。
なお７２は欠如部（エレメント存置空間）を示す。    
【００３１】
このように、ブーム２０の外周に上下から圧力を加えて、ブーム２０を上下方向に圧縮して変形させるという、極めて簡単な工程でもって、アンテナ素子１９の管壁８０に対して、上記ブーム２０に備えさせた計８個の尖頭部（58、58・・・・・58）を喰い付かせるものであっても、ブーム２０の仕上がり外形を「略真円形状」に仕上げ、商品価値を高める得る効果もある。
【００３２】
本件において上記「略真円形状」とは、概略でよく、適当な距離から見て、例えば２〜３ｍ程度離れた場所からブームの外形をみて、真円形状に見える程度であればよい。
また、図２の状態から図３(B)の状態、或いはその逆の状態にブーム２０に対するバンド部６を回動操作する場合、円滑に動く程度の真円形状であればよい。このようにブーム２０がそのような真円形状であると、作業者は円滑な操作ができる作業上のメリットを得る。
なお、上記の金型を用いて「上下方向から加圧」をするときの作業においては、上下の壁２３、２９が薄くて最も曲がりやすい構成にした場合には、上下の壁２３、２９の外側面に金型内面（ブーム２０の仕上がり予定の外周曲面に対応させてある曲面）を密接状態で当接させることにより補強効果を発生させ、そこの過剰な湾曲を予め防止することができる。
【００３３】
上記の管壁２１の動作に関連する動作をさらに説明する。上記図５〜図８において説明したブーム２０の管壁２１を図９、１０の状態にし、さらにそれらの図の状態から図１１、１２の状態に順次変形することによるブーム内の上下のリブ３６、３７の変位動作は次の通りである。
前述したブームの管壁２１における左右の壁部２６、２６の変形によって、図９の左右の各二条のリブ３６、３７も夫々図１１、１２に示されるように、リブ３６、３７の上下の頂部４３、４３が相互に近づくように変位する。
この左右各２本のリブ３６、３７の変位によって、全８個の尖頭部５８と、４個の添付面５６も夫々対応変位し、図１２のように、 上下一対の尖頭部５８が、相互に近付いて、夫々対応するアンテナ素子１９の周壁８０に食い込む。その際の、上記尖頭部５８の詳細な動作を図１４を用いて説明する。
【００３４】
図１４は、図９〜図１５に表れているブーム壁部２１と、リブ３６、３７と、尖頭部５８と、添付面５６と、角部５７との相互の動作を詳細に説明する為に用いる図で、図１０のブームの一部分と、図１２のブームの一部分の輪郭を重ねて、各部の動きを部分的に説明できるようにしたものである。
なお、図中、一点鎖線で示される尖頭部５８、天壁２３等の位置は、成型開始前、即ち、図９、１０の状態を示す。実線で示される尖頭部５８、天壁２３等の位置は成型完了状態、即ち、図１２の状態を示す。
図１４において、前述したように一点鎖線で示す天壁２３を矢印60ａ方向に押圧する（自明なように底壁２９に対しても対称的な動作あり）。すると、天壁２３は実線方向に変位する。その変位に伴って、前述したように上円弧壁２４は実線方向に向けて変位する。その変位に連動する状態で一点鎖線で示される中間壁２６には、矢印60d方向の分力がおよんで中間壁２６は彎曲して実線位置に変位する。その変位の過程において尖頭部５８は、一点鎖線の位置から円弧の軌跡Ｓ５を描いて実線位置に変位する。その変位の軌跡Ｓ５は図示のように下降曲線を描きながら、矢印60d方向に向う。
上記の尖頭部５８の動きは、図１４、図１０〜図１２から明らかなように、管壁２１の左右における各上下に存在する二つの尖頭部５８が一対として、同時に、「相互間の距離を縮めながら変位」する。
【００３５】
このように、上記上下方向の各二条のリブ３６、３７の相互間にある間隙５２の外周側に位置する薄肉の壁２６を大きく外周に向けて湾曲させて張り出させることにより、上記上下方向の各二条のリブ３６、３７相互間の間隙５２が小さくなる方向で、かつ、上記左の円弧壁内面に配した二条のリブ３６、３７と、上記右の円弧壁内面に配した二条のリブ３６、３７との相互間が遠くなる方向に、夫々上記４個のリブ３６、３７を斜め方向に移動させて、夫々上記４個のリブ３６、３７の内側（図６の第２周面４１または図１６の添付面５６）を、図12に表れるように夫々のリブ３６、３７の相互間に位置する対応するアンテナ素子１９の周壁における両側の壁部80ａ、80ａに夫々斜め方向から食い込む状態にして、図示のように夫々外周に向けて傾斜させた添付面５６、５６を、夫々対応した円弧状形成の斜面８４、８４に圧接させて、アンテナ素子１９の回動と軸線方向の移動を阻止するような状態でもって上記中空管状のブーム２０にアンテナ素子１９が固着されるものである。
【００３６】
次に図１４を用いて添付面５６と、角部５７の変位を説明する。この添付面５６と角部５７は、上記尖頭部５８の場合と同様に、一点鎖線位置にある天壁２３を矢印60ａ方向に変位させることにより、一点鎖線位置から実線位置に向けて円弧の軌跡Ｓ６を描いて変位する。その変位の過程において「軌跡Ｓ６は下降曲線」を描き、かつ、図示のように、添付面５６の水平な面（アンテナ素子の軸心に平行な面）を、図１４、図１２（A）からも明らかなように、アンテナ素子が軸心方向に移動できないようにする為の外向の傾斜面５６（例えばアンテナ素子の軸心に対して２０度前後（１５〜２７度位））の角度が得られるように変形させる。さらに係る変形操作により、アンテナ素子の断面形状も非円形となり、アンテナ素子の回動も防止される。
上記の添付面５６の動きは、図１０、図１２（C）、図１４から明らかなように管壁２１の左右における各上下に存在する各添付面５６、角部５７が一対として、同時に、「相互間の距離を縮めながら変位」する。
【００３７】
次に、アンテナ素子１９の周壁８０の変形状況を説明する。
前述したように、８個の尖頭部５８と、４箇所の添付面５６と、そこの夫々の角部５７がアンテナ素子１９の軸心方向（図11(C)，12(C)における左右方向）に移動しながら変位すると、その変位により、アンテナ素子１９の周壁８０は図11〜図15に表れるように変形する。
その内、図１３は、上記８個の尖頭部５８と、４箇所の添付面５６と、そこの夫々の角部５７の動きによりアンテナ素子１９の周壁８０が対応して変形した状態を図法を変えて詳細に示すものである。
図１３において、（A）、(B)は、ブーム２０に対するアンテナ素子１９の固定状態を説明する為の図面であって、変形後のブーム２０を一部破断して示す概略断面図（アンテナ素子１９の表示は省略してある）。それらの図の破断位置は、（A）は図１２（Ｃ）のXIII A−XIII A位置、（Ｂ）は図１２（Ｃ）のXIII B−XIII B位置である。更に（Ｃ）〜（Ｅ）は、ブーム２０に対するアンテナ素子１９の固定状態を説明する為の図面であって、アンテナ素子１９を一部破断して示す概略断面図（ブーム２０の表示は省略してある）。（Ｃ）は変形前のアンテナ素子１９、（Ｄ）と（Ｅ）は変形後のアンテナ素子を示す。それらの図の破断位置は、（Ｄ）は図１２（Ｃ）のXIII A−XIII A位置、（Ｅ）は図１２（Ｃ）のXIII B−XIII B位置である。
【００３８】
更に詳述すると、前述図１４の添付面５６、角部５７の部分が、一点鎖線位置から緩やかな円弧状の軌跡Ｓ６を描いて実線位置に向かう過程にあっては、アンテナ素子１９の周壁８０は、各添付面５６、角部５７の部分の移動により、それらに当接していた部分は、夫々上下方向に向けて圧縮されて変形する。図１２（Ｂ）（Ｃ）、図１３（Ｅ）に示されているように、角部５７、５７相互間にあって周壁８７は、上下方向には潰れ、左右方向には膨出する（左右方向の寸法は変形前の直径Ｄ２よりも大きいＤ６の寸法となる）。そして、上下方向の寸法Ｄ５は、変形前の直径Ｄ２（図１３（Ｄ）参照）に比べてやや小さく潰される。
さらに添付面の角部５７、５７に当接しているアンテナ素子の周壁８０における凹状係部８６、８６相互間の寸法は、Ｄ５のように小さくなる（図１３（A）の角部５７、５７相互間の寸法Ｄ３に対応する）。  このように、周壁８０の各部夫々の上下寸法を小さくしながら変形し、やがては図１２、図１３（Ｅ）の状態に変形する。また当然のことながらこれらの変形した部分は、図１５に現れるようにアンテナ素子１９の平面形状にも表れる。
【００３９】
また前述のブーム２０における８個の尖頭部５８については、図１４の尖頭部５８の部分が、一点鎖線位置から緩やかな円弧状の軌跡Ｓ５を描いて実線位置に向かう過程にあって、アンテナ素子１９の周壁８０の両側壁80aは、図１３（Ｃ）の状態から、前述のように添付面５６、角部５７の部分の上下方向に向けての圧縮により各部夫々上下寸法が小さくなるように変形する過程で、図１３（Ｄ）（Ｅ）から明らかなように左右方向に逐次広がり、かつ、並行的な動きをする尖頭部５８の移動により、周壁８０の両側壁80aは夫々上下方向からの尖頭部５８の押圧により局部的に圧縮されながら、やがては図１２（A）（Ｂ）、図１３（Ｅ）、図１５に示す状態に変形する。
【００４０】
アンテナ素子１９の変形の状態を示す図１５において、周壁８０の外周面８１の上部に現れている凹状係部８６、８６は、図１２（Ｃ）における添付面５６の角部５７が周壁８０の外周面８１に食い込み状に当接して凹状（溝状）になっている部分を示す。
８３、８３は、角部５７が図１４の一点鎖線位置から、緩やかな円弧状の軌跡Ｓ６を描いて実線位置に向かう過程において、上記外周面８１の上部に強く摺擦、圧縮してできた斜面を示す。８４、８４は、添付面５６で押圧変形された斜面を示す。
次に８２、８２は、添付面５６、５６が、図１４の一点鎖線位置から、緩やかな円弧状の軌跡Ｓ６を描いて実線位置に向かう過程において、上記外周面８１の上部を強く押圧して図１３（Ｅ）に表れているＤ５方向の寸法を縮める過程で、アンテナ素子１９の左右方向の両側の壁部80ａに膨出した膨出部を示す。
８５は、上記膨出部８２に形成された食込み部を示す。この食込み部８５は、尖頭部５８が図１４の一点鎖線位置から、緩やかな円弧状の軌跡Ｓ５を描いて実線位置に向かう変位の過程において、図１３（Ｅ）に現れているように周壁８０の両側の壁部80ａに形成される膨出部８２に対して押圧する状態で食い付くことによって、深い凹状に形成されている。この食込み部８５、８５の両側に形成されている膨出部８２、８２（図１３（Ｅ）参照）は、図１３（Ｂ）の間隙５２の空間52aに向けて膨出する。
なお、アンテナ素子１９の裏面も同様になるのであるが、自明な為省略する。
【００４１】
以上のように、ブーム２０を上下方向に加圧することにより、８個の尖頭部５８と、４個の添付面５６と、それらの先部となる角部５７を、夫々対応するアンテナ素子１９の周壁の両側の壁部80ａ、80ａに食込ませた結果、ブーム２０の管内におけるアンテナ素子の固定部は、図１１〜１５を用いて説明したような状態になる。
この状態にあっては、図１１〜１５から理解できるように、アンテナ素子１９は、８個の尖頭部５８によって周壁の両側の壁部80ａ、80ａに放射方向から楔を打たれたようになっており、アンテナ素子１９の軸心（軸線）方向への移動は阻止され、かつ、周方向の回動も確実に阻止される。
しかも、上記アンテナ素子１９の外周面８１における凹状係部８６、食込み部８５等は、ブーム２０の管内、即ち、図１５のブームの管壁外周面21a、21aの間（W2）よりも管内に位置するものであり、雨水に晒されることはなく長寿命となる。
その上、アンテナ素子１９にあって、上記凹状係部８６、食込み部８５等が形成されている部分と、ブームの管壁外周面21a、21aとの間に夫々存在する「管壁孔５５の内面に当接する部分81a」は、夫々で対応する管壁孔５５の内面に夫々密着して、ソフトに支持されるので、アンテナ素子１９におけるブーム２０の左右の管壁孔５５から突出する部分の元部には、格別に配慮しなければならない様な集中応力が加わる場所はなく、ブームの元部は長寿命となる状態で維持される。
【００４２】
更に、ブーム２０に対するアンテナ素子１９の固定状態において、アンテナ素子の周壁８０を押えている部分は、アンテナ素子１９の周壁８０における両側の壁部80ａ、80ａであり、しかも、両側の壁部80ａ、80ａを押さえる方向は、アンテナ素子１９の両側の壁部80ａ、80ａにおける切線方向（図１３（Ｅ）の上下方向）であり、アンテナ素子１９の周壁側からの反力は充分に大きなものが得られる構成である一方、８個の尖頭部５８と、４個の添付面５６と、それらの先部である角部５７は丈夫なリブ３６、３７によって支えられているので、アンテナ素子の周壁に対する左右夫々４個の尖頭部の食いつき状態は堅固で、永く持続できる構成であり、信頼できる固定状態を得ることができる。
【実施例】
【００４３】
図１７（A）は、変形前のブーム２０の断面形状における管壁２１と第１、第２リブ３６、３７の具体的な寸法図を示す。図１７（Ｂ）は、変形後のブーム２０の断面形状における管壁２１と第１、第２リブ36、37（４本のリブ36、37）の具体的な寸法図を示す。
なお、本件の図面において、（）内に示される数字は、実施例の寸法（単位：mm）を示す。［］内の数字は、実施例の角度（単位：度）を示す。＜＞内の数字は、実施例の半径曲率（半径：mm）を示す。
なお、図１６、１７においても前述の図１〜１５のものと機能、性質、手段又は特徴等が同一又は均等構成と考えられる部分には、前述の図と同一の符号を付して重複する説明を省略する。
【符号の説明】
【００４４】
１・・・アンテナ、２・・・マスト、２ａ・・・金具、３・・・支持杆、３ａ・・・自由端、５・・・取付金具、６・・・バンド部、７・・・内懐部、８・・・長孔、１０・・・支持杆添付部、１２・・・ボルト頭、１６・・・放射器、１７・・・反射器、１８・・・導波器、１９・・・アンテナ素子、２０・・・ブーム、２１・・・管壁、21a・・・ブーム管壁の外周面、21b・・・ブーム管の内部、２３・・・天壁、T1・・・肉厚、R1・・・曲率半径、２４・・・円弧壁、T2・・・肉厚、R2・・・曲率半径、２６・・・中間壁（薄肉の壁）、26d・・・外周面、T3・・・肉厚、R3・・・曲率半径、２７・・・外周円弧面（変形後）、27a・・・頂部、２８・・・円弧壁、28a・・・上端部、28b・・・下端部、28c・・・内面、T4・・・肉厚、R4・・・曲率半径、２９・・・底壁、29a・・・左端部、29b・・・右端部、T5・・・肉厚、R5・・・曲率半径、３１・・・筋条（ローレット）、３３・・・仕上がりブームの外周円弧面、３６・・・第１リブ、３７・・・第２リブ、４０・・・第１周面、４１・・・第２周面、４３・・・頂部、５２・・・間隙(上下のリブ36、37相互間)、５３・・・間隙、５４・・・遮断部、５５・・・管壁孔、５６・・・添付面、５７・・・角部、５８・・・尖頭部、７０・・・金型70a・・・対向面、70b・・・対向面、７１・・・凹部、７２・・・欠如部（エレメント存置空間）、８０・・・周壁、80ａ・・・両側の壁部、８１・・・外周面、８２・・・外周方向への膨出部、８３・・・斜面、８４・・・斜面、８５・・・食込み部、８６・・・凹状係部、８７・・・アーチ状の周壁
【図１】
2013077244.tif 000003
【図２】
2013077244.tif 000004
【図３】
2013077244.tif 000005
【図４】
2013077244.tif 000006
【図５】
2013077244.tif 000007
【図６】
2013077244.tif 000008
【図７】
2013077244.tif 000009
【図８】
2013077244.tif 000010
【図９】
2013077244.tif 000011
【図１０】
2013077244.tif 000012
【図１１】
2013077244.tif 000013
【図１２】
2013077244.tif 000014
【図１３】
2013077244.tif 000015
【図１４】
2013077244.tif 000016
【図１５】
2013077244.tif 000017
【図１６】
2013077244.tif 000018
【図１７】
2013077244.tif 000019
【国際調査報告】
2013077244.tif 000020
2013077244.tif 000021
2013077244.tif 000022
2013077244.tif 000023